(57)【要約】【課題】嵌合部の底部と対向する段差部との間の隙間にサラダの葉物等が残って配置されることを極力抑制し、食品、食材等が容器に収容された商品が店舗に陳列された際の美しく優れた見栄えを安定して得る。【解決手段】底部２１の周囲から側壁２２が立設する容器本体２０に開閉自在な蓋３０が内嵌合される蓋付き包装用容器１０で、容器本体２０には、側壁２２の上側に外側に向かって延びる段差部２３、段差部２３の外端から上方に向かう起立部２４が周設され、蓋３０には、端面視で下方に凸の略コ字形の嵌合部３４が周囲全体に亘って形成され、嵌合部３４が起立部２４の内側に着脱自在に内嵌合可能であり、段差部２３は内側の略水平な平面部２３１と外側の上方に向かって外方に傾斜するテーパ部２３２とから構成され、蓋３０が容器本体２０に内嵌合された状態で、嵌合部３４の底部３４１と段差部２３の平面部２３１とが小間隙を開けて対向する。【選択図】図４
2018020816.tif 000002
【特許請求の範囲】
【請求項１】
底部の周囲から側壁が立設する容器本体に開閉自在な蓋が内嵌合される蓋付き包装用容器であって、
前記容器本体には、前記側壁の上側に外側に向かって延びる段差部が周設され、前記段差部の外端から上方に向かって起立する起立部が周設されており、
前記蓋には、端面視で下方に凸の略コ字形の嵌合部が周囲全体に亘って形成され、前記嵌合部が前記容器本体の起立部の内側に着脱自在に内嵌合可能になっており、
前記段差部は、内側の略水平な平面部と外側の上方に向かって外方に傾斜するテーパ部とから構成され、
前記蓋が前記容器本体に内嵌合された状態で、前記嵌合部の底部と前記段差部の前記平面部とが小間隙を開けて対向するように形成されていることを特徴とする蓋付き包装用容器。
【請求項２】
前記嵌合部の底部の外端近傍が前記テーパ部の上部で支持されるように前記蓋が前記容器本体に内嵌合されることを特徴とする請求項１記載の蓋付き包装用容器。
【請求項３】
前記嵌合部の底部の外端近傍が上方に向かって外方に傾斜する嵌合テーパ部になっており、前記嵌合テーパ部が前記テーパ部の上部で支持されるように前記蓋が前記容器本体に内嵌合されることを特徴とする請求項２記載の蓋付き包装用容器。
【請求項４】
前記嵌合テーパ部の傾斜が前記テーパ部の傾斜よりも緩やかになっていることを特徴とする請求項３記載の蓋付き包装用容器。
【請求項５】
前記容器本体の側壁が、全周に亘って設けられる主側壁部と、前記主側壁部と前記段差部との間に全周に亘って設けられる補助側壁部を有し、
前記主側壁部と前記底部とで囲まれる領域で前記容器本体の主収容部が構成され、
前記主側壁部と前記補助側壁部との間に前記補助側壁部よりも上方に突出する突条が全周に亘って形成されていることを特徴とする請求項１〜４の何れかに記載の蓋付き包装用容器。
【発明の詳細な説明】
【技術分野】
【０００１】
本発明は、食品、食材等が収容される合成樹脂製の蓋付き包装用容器に関する。
【背景技術】
【０００２】
従来、容器本体の側壁の上側に、外側に向かって水平に延びる段差部が周設され、段差部の外端から上方に向かって起立する起立部が周設され、起立部の上端から外側に向かって外周部が周設されていると共に、蓋の周囲全体に亘って容器本体に内嵌合される嵌合部が形成されている蓋付き包装用容器がある。この嵌合部は端面視で下方に凸の略コ字形に形成されており、嵌合部を容器本体の起立部の内側に嵌め込むことにより、容器本体に蓋を内嵌合して閉鎖可能になっている。
【０００３】
このような蓋付き包装用容器として特許文献１には、蓋の内嵌合する嵌合部の底部と、容器本体の水平に延びる段差部とが、僅かな隙間を開けて対向するように形成される蓋付き包装用容器が開示されている（特許文献１の参考Ａ−Ａ’拡大断面図参照）。
【先行技術文献】
【特許文献】
【０００４】
【特許文献１】意匠登録第１５３０２０３号公報
【発明の概要】
【発明が解決しようとする課題】
【０００５】
ところで、蓋の内嵌合する嵌合部の底部に対応する箇所に設けられる容器本体の水平に延びる段差部は、容器本体に収容された食品、食材等の収容物を広がりを持って消費者に見せることができる、蓋が下方に押されて嵌合部が下方に付勢された場合に嵌合部の底部を段差部で支持することができるという有利性があり、更に、特許文献１のように嵌合部の底部と対向する段差部との間に僅かな隙間を開ける場合には、嵌合部の底部と段差部との間に、サラダの葉物等が噛み込まれて取れなくなることを防止することができるという有利性もある。
【０００６】
しかしながら、特許文献１のように嵌合部の底部と対向する段差部との間に僅かな隙間を開けるだけでは、嵌合部の底部と対向する段差部との間にサラダの葉物等が噛み込まれること自体を防止することは可能であるものの、嵌合部の底部と対向する段差部との間の隙間にサラダの葉物等がそのまま残って配置され、この見た目の良くない状態で蓋付き包装用容器に食品、食材等が収容された商品が店舗に陳列されることが多々生ずる。
【０００７】
本発明は上記課題に鑑み提案するものであって、内嵌合される嵌合部の底部と対向する段差部との間に隙間が設けられる蓋付き包装用容器において、嵌合部の底部と対向する段差部との間の隙間にサラダの葉物等が残って配置されることを極力抑制し、食品、食材等が容器に収容された商品が店舗に陳列された際の美しく優れた見栄えを安定して得ることができる蓋付き包装用容器を提供することを目的とする。
【課題を解決するための手段】
【０００８】
本発明の蓋付き包装用容器は、底部の周囲から側壁が立設する容器本体に開閉自在な蓋が内嵌合される蓋付き包装用容器であって、前記容器本体には、前記側壁の上側に外側に向かって延びる段差部が周設され、前記段差部の外端から上方に向かって起立する起立部が周設されており、前記蓋には、端面視で下方に凸の略コ字形の嵌合部が周囲全体に亘って形成され、前記嵌合部が前記容器本体の起立部の内側に着脱自在に内嵌合可能になっており、前記段差部は、内側の略水平な平面部と外側の上方に向かって外方に傾斜するテーパ部とから構成され、前記蓋が前記容器本体に内嵌合された状態で、前記嵌合部の底部と前記段差部の前記平面部とが小間隙を開けて対向するように形成されていることを特徴とする。
これによれば、段差部の外側のテーパ部により、サラダの葉物等を底部と側壁で囲まれる本来の収容部内に自然に落下させることや容易に振り落とすことが可能となる。従って、嵌合部の底部と対向する段差部との間の隙間にサラダの葉物等が残って配置されることを極力抑制することが可能となり、食品、食材等が容器に収容された商品が店舗に陳列された際の優れた見栄えを安定して得ることができる。また、容器本体は平面部とテーパ部とから構成されて外側に延びる段差部を有することから、容器本体に収容された食品、食材等の収容物を広がりを持って消費者に見せることができる。また、嵌合部の底部と対向する段差部との間の隙間は小間隙であることから、蓋が下方に押されて嵌合部が下方に付勢された場合に嵌合部の底部を段差部で支持することが可能である。
【０００９】
本発明の蓋付き包装用容器は、前記嵌合部の底部の外端近傍が前記テーパ部の上部で支持されるように前記蓋が前記容器本体に内嵌合されることを特徴とする。
これによれば、別途に容器本体に蓋を外嵌合させずとも、蓋の嵌合部の底部と容器本体の段差部の平面部とが小間隙を開けて対向する状態を安定して確実に得ることができる。尚、特許文献１は蓋の嵌合部の底部と容器本体の段差部との間の隙間を得るために、内嵌合の外側で蓋を容器本体に外嵌合している。
【００１０】
本発明の蓋付き包装用容器は、前記嵌合部の底部の外端近傍が上方に向かって外方に傾斜する嵌合テーパ部になっており、前記嵌合テーパ部が前記テーパ部の上部で支持されるように前記蓋が前記容器本体に内嵌合されることを特徴とする。
これによれば、蓋の嵌合テーパ部が容器本体のテーパ部の上部で少なくとも部分的に面状で支持される状態とすることが可能となり、蓋の嵌合部の底部と容器本体の段差部の平面部とが小間隙を開けて対向する状態をより安定させることができる。また、部分的な面状支持により、容器本体の段差部のテーパ部に局所的に大きな応力が負荷されることを防ぎ、容器本体の破損を防止することができ、又、容器本体或いはその段差部に求められる強度の許容範囲を広げることができる。
【００１１】
本発明の蓋付き包装用容器は、前記嵌合テーパ部の傾斜が前記テーパ部の傾斜よりも緩やかになっていることを特徴とする。
これによれば、嵌合部の嵌合テーパ部が段差部のテーパ部から内方に向かうに従って離れて開いていき、逆に外方に向かうに従って近づいて閉じていく状態にすることが可能となるから、蓋を閉める際にサラダの葉物等の収容物を開いて離れた方向に誘導し、容器本体の本来の収容部内に誘導して押し込むことができると共に、収容物の噛み込みをより一層抑制することができる。
【００１２】
本発明の蓋付き包装用容器は、前記容器本体の側壁が、全周に亘って設けられる主側壁部と、前記主側壁部と前記段差部との間に全周に亘って設けられる補助側壁部を有し、前記主側壁部と前記底部とで囲まれる領域で前記容器本体の主収容部が構成され、前記主側壁部と前記補助側壁部との間に前記補助側壁部よりも上方に突出する突条が全周に亘って形成されていることを特徴とする。
これによれば、主収容部からはみ出したサラダの葉物等を突条で上向きにして主収容部により落下させやすくすることができ、サラダの葉物等が内嵌合部分に近づく可能性を一層低下させ、収容物の噛み込みをより一層抑制することができる。
【発明の効果】
【００１３】
本発明によれば、内嵌合される嵌合部の底部と対向する段差部との間に隙間が設けられる蓋付き包装用容器において、嵌合部の底部と対向する段差部との間の隙間にサラダの葉物等が残って配置されることを極力抑制することが可能となり、食品、食材等が容器に収容された商品が店舗に陳列された際の美しく優れた見栄えを安定して得ることができる。
【図面の簡単な説明】
【００１４】
【図１】本発明の第１実施形態の蓋付き包装用容器の平面図。
【図２】第１実施形態の蓋付き包装用容器の正面図。
【図３】第１実施形態の蓋付き包装用容器の分解斜視図。
【図４】（ａ）は第１実施形態の蓋付き包装用容器における容器本体の側壁の中央部分に相当する位置の拡大端面図、（ｂ）は同図（ａ）のＢ部拡大図。
【図５】（ａ）は本発明の第２実施形態の蓋付き包装用容器における容器本体の側壁の中央部分に相当する位置の拡大端面図、（ｂ）は同図（ａ）のＣ部拡大図。
【発明を実施するための形態】
【００１５】
〔第１実施形態の蓋付き包装用容器〕
本発明による第１実施形態の蓋付き包装用容器１０は、図１〜図４に示すように、平面視略矩形で上方に開口する箱型の容器本体２０と、容器本体２０に開閉自在に内嵌合される平面視略矩形の蓋３０とから構成される。容器本体２０、蓋３０は、それぞれ合成樹脂で形成され、図示例の容器本体２０、蓋３０は、それぞれ透明な可撓性の合成樹脂で形成されている。
【００１６】
容器本体２０は、平面視略矩形の底部２１を有し、底部２１の周囲からは側壁２２が起立するように形成され、側壁２２は上方に向かって外側に拡がるように形成されており、その上寄りに外側に屈曲する段部２２１が形成されている。側壁２２のうち、段部２２１よりも下側に位置して全周に亘って設けられている側壁部分は主側壁部２２２、段部２２１よりも上側に位置し且つ主側壁部２２２と後述する段差部２３との間に位置して全周に亘って設けられている側壁部分は補助側壁部２２３を構成し、全周に亘る主側壁部２２２と底部２１とで囲まれる領域が容器本体２０の主収容部となっている。
【００１７】
段部２２１よりも上側に位置する側壁２２の上側には、外側に向かって延びる段差部２３が形成され、段差部２３は容器本体２０の周状に形成される側壁２２に倣って周設されている。段差部２３は、側壁２２の上端から略水平で外側に延びる平面部２３１と、平面部２３１の外端から上方に向かって外側に拡がるように傾斜する略テーパ状のテーパ部２３２とから構成され、段差部２３の内側は平面部２３１、その外側はテーパ部２３２になっている。
【００１８】
段差部２３の外端、換言すればテーパ部２３２の外端或いは上端からは、上方に向かって僅かに内側に傾斜するように起立する起立部２４が形成され、起立部２４の上端から端面視で上方に凸の略山形である外周部２５が形成されている。起立部２４と外周部２５も、平面部２３１とテーパ部２３２で構成される段差部２３と同様に、容器本体２０の全周に亘って周設されている。
【００１９】
蓋３０は、天板３１と、天板３１の周囲から下方に向かって外側に拡がるように傾斜する略テーパ状の側壁３２と、側壁３２の下端から外側に向かって略水平に延びる段部３３と、段部３３の外端から形成された嵌合部３４とから構成される。嵌合部３４は、端面視で下方に凸の略コ字形に形成されており、側壁３２、段部３３と同様に、蓋３０の周囲全体に亘って形成されている。
【００２０】
嵌合部３４は、容器本体２０の起立部２４の内側に着脱自在に内嵌合可能になっており、蓋３０は、嵌合部３４を容器本体２０の上方に向かって僅かに内側に傾斜する起立部２４に嵌め込むことにより、容器本体２０を内嵌合で閉鎖可能になっている（図４参照）。そして、第１実施形態の蓋付き包装用容器１０では、蓋３０が容器本体２０に内嵌合された状態において、嵌合部３４の底部３４１と段差部２３の平面部２３１とが距離Ｌの小間隙を開けて対向するように形成されている。この小間隙の距離Ｌは、仮に蓋３０が下方に押されて嵌合部３４が下方に付勢された場合に嵌合部３４の底部３４１を段差部２３或いはその平面部２３１で支持することを可能にすると共に、嵌合部３４の底部３４１と段差部２３との間にサラダの葉物等が噛み込まれて取れなくなることを防止することを可能にする双方の機能を確保する観点から、例えば１ｍｍ〜１０ｍｍとすることが好ましく、１ｍｍ〜６ｍｍとするとより好ましく、１．５ｍｍ〜５ｍｍとするとさらに好ましい。
【００２１】
嵌合部３４の底部３４１の外端近傍は、上方に向かって外方に傾斜する嵌合テーパ部３４２になっており、本実施形態の嵌合テーパ部３４２の傾斜は、容器本体２０の段差部２３のテーパ部２３２の傾斜よりも僅かに緩やかになっている。そして、嵌合部３４が起立部２４の内側に内嵌合されて蓋３０が容器本体２０に内嵌合された状態においては、嵌合部３４の底部３４１の外端近傍、本実施形態では嵌合テーパ部３４２が、段差部２３のテーパ部２３２の上部で支持されると共に、嵌合部３４の嵌合テーパ部３４２が段差部２３のテーパ部２３２から内方に向かうに従って離れて開いていき、逆に外方に向かうに従って近づいて閉じていく状態となる。
【００２２】
第１実施形態によれば、嵌合部３４の底部３４１と段差部２３の平面部２３１との間に小間隙を開け、段差部２３の外側にテーパ部２３２を設けることにより、サラダの葉物等を底部２１と側壁２２で囲まれる容器本体２０の本来の収容部内に自然に落下させることや容易に振り落とすことが可能となる。従って、嵌合部３４の底部３４１と対向する段差部２３との間の小間隙或いは隙間にサラダの葉物等が残って配置されることを極力抑制することが可能となり、食品、食材等が容器に収容された商品が店舗に陳列された際の美しく優れた見栄えを安定して得ることができる。また、容器本体２０は平面部２３１とテーパ部２３２とから構成されて外側に延びる段差部２３を有することから、容器本体２０に収容された食品、食材等の収容物を広がりを持って消費者に見せることができる。また、嵌合部３４の底部３４１と対向する段差部２３との間の隙間は小間隙であることから、蓋３０が下方に押されて嵌合部３４が下方に付勢された場合に嵌合部３４の底部３４１を段差部２３或いはその平面部２３１で支持することが可能である。
【００２３】
また、嵌合部３４の底部３４１の外端近傍が段差部２３のテーパ部２３２の上部で支持されるように蓋３０が容器本体２０に内嵌合されることから、別途に容器本体２０に蓋３０を外嵌合させずとも、蓋３０の嵌合部３４の底部３４１と容器本体２０の段差部２３の平面部２３１とが小間隙を開けて対向する状態を安定して確実に得ることができる。
【００２４】
また、段差部２３のテーパ部２３２の上部で支持される嵌合部３４の底部３４１の外端近傍を嵌合テーパ部３４２とすることにより、蓋３０の嵌合テーパ部３４２が容器本体２０のテーパ部２３２の上部で少なくとも部分的に面状で支持される状態とすることが可能となり、蓋３０の嵌合部３４の底部３４１と容器本体２０の段差部２３の平面部２３１とが小間隙を開けて対向する状態をより安定させることができる。また、部分的な面状支持により、容器本体２０の段差部２３のテーパ部２３２に局所的に大きな応力が負荷されることを防ぎ、容器本体２０の破損を防止することができ、又、容器本体２０或いはその段差部２３に求められる強度の許容範囲を広げることができる。
【００２５】
また、嵌合部３４の嵌合テーパ部３４２の傾斜を段差部２３のテーパ部２３２の傾斜よりも緩やかにすることにより、嵌合テーパ部３４２がテーパ部２３２から内方に向かうに従って離れて開いていき、逆に外方に向かうに従って近づいて閉じていく状態にすることが可能となるから、蓋３０を閉める際にサラダの葉物等の収容物を開いて離れた方向に誘導し、容器本体２０の本来の収容部内に誘導して押し込むことができると共に、収容物の噛み込みをより一層抑制することができる。
【００２６】
〔第２実施形態の蓋付き包装用容器〕
本発明による第２実施形態の蓋付き包装用容器１０ａでは、その容器本体２０ａの側壁２２ａが底部２１の周囲からは起立するように且つ上方に向かって外側に拡がるように形成されており、その上寄りに上方に突出する突条２２４ａが形成されている点で第１実施形態と異なる。第１実施形態における段部２２１に代えて設けられる突条２２４ａは、側壁２２ａにおいて部分的に上側に突出するように形成されていると共に、容器本体２０の全周に亘って形成されている。突条２２４ａは、端面視で丸みを帯びた形状で突出形成されており、サラダの葉物等を滑動し易くしている。
【００２７】
側壁２２のうち、突条２２４ａよりも下側に位置して全周に亘って設けられている側壁部分は主側壁部２２２ａ、突条２２４ａよりも上側に位置し且つ主側壁部２２２ａと段差部２３との間に位置して全周に亘って設けられている側壁部分は補助側壁部２２３ａを構成し、全周に亘る主側壁部２２２ａと底部２１とで囲まれる領域が容器本体２０ａの主収容部となっている。第２実施形態の蓋付き包装用容器１０ａのその他の構成は第１実施形態の蓋付き包装用容器１０と同一であり、その蓋３０は第１実施形態と同じである。
【００２８】
第２実施形態によれば、容器本体２０ａの主収容部からはみ出したサラダの葉物等を突条２２４ａで上向きにして主収容部により落下させやすくすることができ、サラダの葉物等が内嵌合部分に近づく可能性を一層低下させ、収容物の噛み込みをより一層抑制することができる。その他、第１実施形態と対応する構成から対応する効果を奏する。
【００２９】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００３０】
例えば第１、第２実施形態の蓋付き包装用容器１０、１０ａ、及びその容器本体２０、２０ａ、蓋３０は平面視略矩形としたが、この矩形は正方形或いは長方形とすることが可能であり、又、本発明の蓋付き包装用容器とこれを構成する容器本体と蓋の平面視形状はこれ以外にも適宜であり、例えば矩形以外の五角形、六角形、八角形など平面視略多角形、或いは平面視略円形、平面視略楕円形等とすることが可能である。
【００３１】
また、第１、第２実施形態では、嵌合部３４の底部３４１の外端近傍に嵌合テーパ部３４２を設けたが、嵌合テーパ部３４２を設けない嵌合部とすることも可能であり、又、嵌合テーパ部３４２の傾斜をテーパ部２３２の傾斜と略同一にするなど嵌合テーパ部３４２の傾斜をテーパ部２３２の傾斜とよりも緩やかにしない構成も本発明に含まれる
【００３２】
また、本発明の蓋付き包装用容器に収容する食品、食材はサラダ、惣菜など適宜である。また、本発明の蓋付き包装用容器は透明なものとすると好適であるが、容器本体と蓋のいずれか一方又は双方を不透明なものとすることも可能である。また、本発明の蓋付き包装用容器の容器本体、蓋を形成する合成樹脂は適宜であり、例えばポリオレフィン系樹脂、ポリスチレン系樹脂、ポリエステル系樹脂等、並びにこれらの２種類以上の樹脂のブレンドを用いることが可能である。
【産業上の利用可能性】
【００３３】
本発明は、例えば惣菜、サラダ等の食品や食材を収容する蓋付き包装用容器として利用することができる。
【符号の説明】
【００３４】
１０、１０ａ…蓋付き包装用容器  ２０、２０ａ…容器本体  ２１…底部  ２２、２２ａ…側壁  ２２１…段部  ２２２、２２２ａ…主側壁部  ２２３、２２３ａ…補助側壁部  ２２４ａ…突条  ２３…段差部  ２３１…平面部  ２３２…テーパ部  ２４…起立部  ２５…外周部  ３０…蓋  ３１…天板  ３２…側壁  ３３…段部  ３４…嵌合部  ３４１…底部  ３４２…嵌合テーパ部  Ｌ…小間隙の距離
【図１】
2018020816.tif 000003
【図２】
2018020816.tif 000004
【図３】
2018020816.tif 000005
【図４】
2018020816.tif 000006
【図５】
2018020816.tif 000007